(57)【要約】【課題】広い設置場所を必要とせず、かつ、歩道側の歩行者に対して十分な広告宣伝が可能であるとともに、その広告情報の操作を容易とする。【解決手段】デジタル複合機Ａ１の背面側筐体に、第１表示画面２２を外側に向け、かつ第２表示画面を内側に向けて大型ディスプレイ２１が一体的に取り付けられており、機器制御部５９は、外部ネットワーク７４を介して外部のサーバ装置８５と接続されるとともに、サーバ装置８５で管理されている各種情報を、大型ディスプレイ２１の第１表示画面２２及び第２表示画面２３に表示するとともに、各表示画面を時間経過と共に順次切り換えて表示するに際し、第１表示画面２２の表示と第２表示画面２３の表示とを時間差を設けて切り換える。【選択図】図７
2010004134.tif 000002
【特許請求の範囲】
【請求項１】
操作手段の操作に応じて印字手段で印字動作を行う画像形成装置と、
前記画像形成装置筐体の少なくとも一側面に配置され、前記画像形成装置の操作側から見て裏面もしくは側面から視認可能な第１表示画面を有する第１表示装置と、
前記画像形成装置筐体より上方に突出するように配置され、前記画像形成装置の操作者から視認可能な第２表示画面を有する第２表示装置と、
前記第１表示画面及び前記第２表示画面に関連する各種情報を表示するとともに、各表示画面を時間経過と共に順次切り換えて表示する表示制御手段とを備え、
前記表示制御手段は、前記第１表示画面の表示と前記第２表示画面の表示とを時間差を設けて切り換えることを特徴とする表示一体型画像形成装置。
【請求項２】
請求項１に記載の表示一体型画像形成装置において、
前記操作手段とは別に前記第２表示画面が第２操作手段となり、前記操作手段または前記第２操作手段のいずれか一方または両方で操作可能であることを特徴とする表示一体型画像形成装置。
【請求項３】
請求項１または請求項２のいずれか１項に記載の表示一体型画像形成装置において、
前記時間差が任意に設定可能に設けられていることを特徴とする表示一体型画像形成装置。
【請求項４】
請求項１から請求項３までのいずれか１項に記載の表示一体型画像形成装置において、
前記表示制御手段は、前記表示装置に表示されている情報から前記操作手段または前記第２操作手段を介して所望の情報が選択されると、選択された情報を前記第２表示画面に表示するとともに、当該第２表示画面については時間経過と共に順次切り換えて表示する遷移表示を一時停止することを特徴とする表示一体型画像形成装置。
【請求項５】
請求項４に記載の表示一体型画像形成装置において、
前記第１表示画面の表示は時間経過と共に順次切り換えて表示する遷移表示を継続することを特徴とする表示一体型画像形成装置。
【請求項６】
請求項４または請求項５に記載の表示一体型画像形成装置において、
前記第２表示画面に表示されている選択された情報に基づく処理を終了すると、前記第２表示画面の表示は時間経過と共に順次切り換えて表示する遷移表示に復帰することを特徴とする表示一体型画像形成装置。
【請求項７】
請求項１から請求項６までのいずれか１項に記載の表示一体型画像形成装置において、
前記表示装置に表示されている情報は前記画像形成装置の管理手段で管理されていることを特徴とする表示一体型画像形成装置。
【請求項８】
請求項１から請求項６までのいずれか１項に記載の表示一体型画像形成装置とサーバ装置とがネットワークを介して接続された画像表示システムにおいて、
前記表示装置に表示されている情報は前記サーバ装置で管理されていることを特徴とする画像表示システム。
【請求項９】
請求項１から請求項７までのいずれか１項に記載の表示一体型画像形成装置、または請求項８に記載の画像表示システムにおいて実施される画像表示方法であって、
第１表示画面及び第２表示画面に関連する各種情報を表示するとともに、各表示画面を時間経過と共に順次切り換えて表示するステップと、
第１表示画面の表示と第２表示画面の表示とを時間差を設けて切り換えるステップと、を含むことを特徴とする画像表示方法。
【請求項１０】
請求項９に記載の画像表示方法において、
表示装置に表示されている情報から操作手段を介して所望の情報が選択されると、選択された情報を第２表示画面に表示するとともに、第２表示画面については時間経過と共に順次切り換えて表示する遷移表示を一時停止するステップと、
第２表示画面に表示されている選択された情報に基づく処理を終了すると、第２表示画面の表示を時間経過と共に順次切り換えて表示する遷移表示に復帰させるステップと、をさらに含むことを特徴とする画像表示方法。
【発明の詳細な説明】
【技術分野】
【０００１】
本発明は、複合機やデジタル複写機等の画像形成装置に係り、より詳細には、画像形成装置に大型の表示装置を融合させた表示一体型画像形成装置及び画像表示システム並びに画像表示方法に関する。
【背景技術】
【０００２】
近時、複合機やデジタル複写機等の画像形成装置は、コンビニエンスストア（以下、「コンビニ」と略記する。）やスーパーマーケット（以下、「スーパー」と略記する。）を初めとする量販店などに多く設置されており、主に店を利用するユーザが原稿のコピーを取る場合などに利用されている。
【０００３】
ところで、近時のコンビニは、道路側（歩道側）に面した店舗部分が全面ガラス張りとなっており、歩道を歩いている人に店内の様子が一目で分かるように商品が陳列されている。例えば、図１６に示すように、入り口５００を介して広いスペース側のガラス窓５０１沿いに本棚５１０が設置されており、狭いスペース側のガラス窓５０２沿いに画像形成装置Ａが設置され、その画像形成装置Ａの店内奥側に図示しないレジカウンタが配置されている、といった配置パターンが一般的である。そして、このような配置構成において、従来は、歩道側のガラス窓５０１，５０２に、店外に向かってポスター等の紙広告５０５を直接貼付して、歩行者に対し各種の宣伝活動を行っていた。また、店内の陳列台の僅かな空きスペースに紙広告を貼付して、店内のお客に対する宣伝活動を行っていた。
【０００４】
このような宣伝活動では、広告を頻繁に入れ替えることは難しく、例えば、時間帯によってサラリーマンの通行が多い時間帯はサラリーマンに的を絞った宣伝広告を行い、昼間の主婦層や学生が多い時間帯には、主婦や学生に的を絞った宣伝広告を行う、といったきめ細かい宣伝活動が行えないといった問題があった。
【０００５】
また、歩道側を全面ガラス張りとし、このガラス面に広告を貼付する手法は、不動産会社等にも採用されており、ガラス面の壁一面に各種不動産情報の紙広告を貼付して通行人に提供している。しかし、この場合でも、賃貸契約や売買契約が成立した不動産情報の撤去や、新たな不動産情報の貼付等を従業員が手作業で行う必要があるため、撤去のし忘れや貼り忘れ等が頻繁に発生し、提供情報が必ずしも最新のものでない場合があるといった問題があった。
【０００６】
一方、上記したように、各店舗に設置されている画像形成装置は、もっぱら店を利用するユーザが原稿のコピーを取る場合にのみ利用されており、それ以外にはほとんど利用されていないのが現状である。そこで、このような画像形成装置の利用効率を向上させるための工夫が従来からされている（例えば、特許文献１〜３等参照）。
【０００７】
特許文献１には、店舗に壁面ディスプレイとプリンタとを接続して設置し、壁面ディスプレイに表示された広告情報に対応する印刷ボタンを押下すると、当該印刷ボタンが押下された広告情報をプリンタで印刷することのできる広告情報処理システムが記載されている。
【０００８】
また、特許文献２には、複写機である画像処理装置とキャッシュレジスタとがＬＡＮで接続されており、複写機の原稿台にセットされた掲示画像原稿を読み取ると、この掲示画像を複写機の操作画面に表示するとともに、ＬＡＮを経由してキャッシュレジスタの表示装置に表示する画像処理装置が記載されている。
【０００９】
さらに、特許文献３には、画像形成装置本体の前面または側面に液晶モニタを備え、パーソナルコンピュータの出力信号を液晶モニタの表示部に表示する構成の画像形成装置が記載されている。
【特許文献１】特開２００２−３２９１３９号公報
【特許文献２】特開２００２−１５６８７３号公報
【特許文献３】特開２００２−５５５０１号公報
【発明の開示】
【発明が解決しようとする課題】
【００１０】
このように、画像形成装置と表示装置とを接続し、表示装置に表示されている広告情報を画像形成装置で印刷したり、画像形成装置から読み取った掲示画像を当該画像形成装置の操作画面やキャッシュレジスタの表示装置に表示することで、画像形成装置を利用して広告宣伝機能を高める工夫が従来から行われている。
【００１１】
しかし、特許文献１のものは、歩道側の壁面全体にディスプレイを設置し、このディスプレイと店内に設置されているプリンタとを通信ケーブルで接続する必要があるため、設置作業が大がかりとなり、また、店舗ごとに設置する必要があることから、設置作業が極めて煩雑であるといった問題があった。また、一旦設置した後は、レイアウトを臨機応変に変更したくても、簡単に行うことができないといった問題もあった。
【００１２】
また、特許文献２のものは、広告情報を画像形成装置の操作画面やキャッシュレジスタの表示画面に表示することは可能であるが、これは店舗内にいる客に対しての宣伝広告であり、店舗前の歩道を歩いている人に対する宣伝広告とはなっていない。また、画像形成装置の操作画面やキャッシュレジスタの表示画面に表示するだけでは、店内の客もほとんど気が付かず、十分な宣伝効果が得られないといった問題があった。
【００１３】
また、特許文献１及び特許文献２においては、店舗などに設置している装置そのものに広告情報等のデータを記憶しており、データが大きくなればなるほど記憶容量も多く必要となる。
【００１４】
さらに、特許文献３のものは、広告情報を液晶モニタの表示画面に表示することは可能であるが、これは画像形成装置の操作者に対する表示であり、操作者以外の人に情報を知らせるという技術思想は特許文献３のものにはない。
【００１５】
なお、店舗内に画像形成装置と大画面（例えば、５０インチ等）のディスプレイ装置とをケーブルで接続して設置することも行われているが、コンビニやスーパー等の店舗では、売り場面積を如何に広く確保するかが課題であり、このように２つの大型機器を並置することは、売り場面積が狭くなるためあまり普及していない。また、狭い店舗では設置場所すら確保できない場合もあり、店舗側にとって必ずしもメリットのあるシステムとはなっていないのが現状である。例えば、５２Ｖ型の液晶ディスプレイ（シャープ製  ＰＮ−５２５）の外観寸法は、高さ１２５４ｍｍ×横幅７４２mm×奥行９２ｍｍ、質量４４Kg、そして、液晶ディスプレイのスタンド（シャープ製  ＩＤ−ＤＳ０３Ｗ）の外観寸法は、横幅９１７mm×奥行８７０ｍｍ、さらにデジタル複合機（シャープ製  ＭＸ−３５００ＦＮ）の外観寸法は、高さ９５０ｍｍ×横幅６４５mm×奥行６７０ｍｍ、質量１２０Kg、である。ここで、液晶ディスプレイとデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要である。
【００１６】
本発明はかかる問題点を解決すべく創案されたもので、その目的は、広い設置場所を必要とせず、かつ、歩道側の歩行者に対して十分な広告宣伝が可能であるとともに、その広告情報の操作をスムーズに行うことのできる表示一体型画像形成装置及び画像表示システム並びに画像表示方法を提供することにある。
【課題を解決するための手段】
【００１７】
上記課題を解決するため、本発明の表示一体型画像形成装置は、操作手段の操作に応じて印字手段で印字動作を行う画像形成装置と、前記画像形成装置筐体の少なくとも一側面に配置され、前記画像形成装置の操作側から見て裏面もしくは側面から視認可能な第１表示画面を有する第１表示装置と、前記画像形成装置筐体より上方に突出するように配置され、前記画像形成装置の操作者から視認可能な第２表示画面を有する第２表示装置と、前記第１表示画面及び前記第２表示画面に関連する各種情報を表示するとともに、各表示画面を時間経過と共に順次切り換えて表示する表示制御手段とを備え、前記表示制御手段は、前記第１表示画面の表示と前記第２表示画面の表示とを時間差を設けて切り換えることを特徴としている。また、前記操作手段とは別に前記第２表示画面を第２操作手段とし、前記操作手段または前記第２操作手段のいずれか一方または両方で操作可能としてもよい。
【００１８】
このような構成によれば、画像形成装置を表示装置の脚部として兼用することで、画像形成装置と表示装置という２台の大型機器の設置スペースを、実質的に画像形成装置の設置スペースに収めることが可能となる。上記解決課題で説明したように、表示装置である液晶ディスプレイと画像形成装置であるデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要であるが、デジタル複合機の背面に液晶ディスプレイを装着すれば、床占有面積は、横幅：液晶ディスプレイ幅７４２ｍｍ×奥行：７６２ｍｍ（液晶ディスプレイの奥行９２ｍｍ＋デジタル複合機の奥行６７０ｍｍ）で済ませることができる。また、液晶ディスプレイを縦置きにするとバランスが悪いが、デジタル複合機と一体にすることで、デジタル複合機と液晶ディスプレイの重量バランスがよく安定した設置が可能である。これにより、コンビニやスーパー等の狭い店舗においても、画像形成装置を従来から設置している場所にほぼそのまま設置することができる。この場合、表示画面が外側を向くようにして画像形成装置の例えば背面側に表示装置を取り付けると、画像形成装置を従来通り店舗内に設置するだけで、表示装置の表示画面が、道路側（すなわち、歩道側）の壁面ガラスを介して店舗外の歩行者側に向くことになる。従って、この表示装置の表示画面に広告情報を表示することで、店舗外の歩行者にインパクトのある宣伝広告を行うことが可能となる。
【００１９】
また、本発明では、第１表示画面の画面表示及び第２表示画面の画面表示を、それぞれ時間経過と共に順次切り換えて表示する構成としている。この場合、第１表示画面を見た人が、その情報に関する印字等を行いたい場合に、その人が第２表示画面側で操作するまでに第２表示画面が切り換わっていると、その切り換わる前の画面を第２表示画面に再び呼び出すか、次の表示サイクルまで待つ必要があり、スムーズな操作が行えない可能性が高い。そこで、本発明では、第１表示画面の表示と第２表示画面の表示とに時間差を設けて切り換えるようにしている。具体的には、第１表示画面の画面表示の切り換えに遅れて第２表示画面の同じ画面の表示を切り換えるようにしている。すなわち、同じ表示画面において、第１表示画面の表示切り換えより、第２表示画面側の表示切り換えを遅くしている。これにより、第１表示画面を見た人が、その情報に関する印字等を行うために第２表示画面の前までくると、その間に第１表示画面の表示が切り換わっていたとしても、第２表示画面にはまだ同じ画面が表示されているので、操作者はその第２表示画面の表示から所望の操作を行うことができる。すなわち、所望の画面を第２表示画面に再び呼び出すといった操作や、次の表示サイクルまで待つ必要がないので、所望の操作をスムーズに行うことができる。
【００２０】
この場合、前記時間差を任意に設定可能に設けてもよい。第１表示画面を見てから第２表示画面の前まで来て所望の操作を行うまでの時間は、設置する店舗の設置条件等によっても異なるため、表示の切り換わりの時間差を自由に設定できるようにしておけば、本装置を管理する管理者によって設置店舗ごとに最適な時間差に設定することが可能となる。
【００２１】
また、本発明によれば、前記表示制御手段は、前記表示装置に表示されている情報から前記操作手段または前記第２操作手段を介して所望の情報が選択されると、選択された情報を前記第２表示画面に表示するとともに、当該第２表示画面については時間経過と共に順次切り換えて表示する遷移表示を一時停止するように構成する。この場合、前記第１表示画面の表示は時間経過と共に順次切り換えて表示する遷移表示を継続するように構成しておく。さらに、前記第２表示画面に表示されている選択された情報に基づく処理を終了すると、前記第２表示画面の表示は時間経過と共に順次切り換えて表示する遷移表示に復帰するように構成する。
【００２２】
このような構成によれば、操作者が所望の情報を選択したとき、第２表示画面には選択したときの表示に関する情報が切り換わることなくそのまま表示されるので、操作者は第２表示画面を見ながらゆっくりと操作することができる。また、第１表示画面は表示の順次切り換えを続行するので、操作者以外の人への広告は流し続けることができる。
【００２３】
なお、前記表示装置に表示されている情報は前記画像形成装置の管理手段で管理している。または、本発明の表示一体型画像形成装置と外部のサーバ装置とがネットワークを介して接続された画像表示システムにおいては、前記表示装置に表示されている情報を前記サーバ装置で管理してもよい。サーバ装置で一括管理することで、店舗に設置されている表示一体型画像形成装置の記憶容量を少なくすることができる。
【００２４】
また、本発明の画像表示方法は、上記構成の表示一体型画像形成装置において実施される画像表示方法であって、第１表示画面及び第２表示画面に関連する各種情報を表示するとともに、各表示画面を時間経過と共に順次切り換えて表示するステップと、第１表示画面の表示と第２表示画面の表示とを時間差を設けて切り換えるステップと、を含んで構成されている。このような構成によれば、第１表示画面を見た人が、その情報に関する印字等を行うために第２表示画面の前までくると、その間に第１表示画面の表示が切り換わっていたとしても、第２表示画面にはまだ同じ画面が表示されているので、操作者はその第２表示画面の表示から所望の操作を行うことができる。
【００２５】
また、本発明の画像表示方法は、表示装置に表示されている情報から操作手段を介して所望の情報が選択されると、選択された情報を第２表示画面に表示するとともに、第２表示画面については時間経過と共に順次切り換えて表示する遷移表示を一時停止するステップと、第２表示画面に表示されている選択された情報に基づく処理を終了すると、第２表示画面の表示を時間経過と共に順次切り換えて表示する遷移表示に復帰させるステップと、をさらに含んで構成されている。このような構成によれば、操作者が所望の情報を選択したとき、第２表示画面には選択したときの表示に関する情報が切り換わることなくそのまま表示されるので、操作者は第２表示画面を見ながらゆっくりと操作することができる。
【発明の効果】
【００２６】
本発明によれば、画像形成装置を表示装置の脚部として兼用することで、画像形成装置と表示装置という２台の大型機器の設置スペースを、実質的に画像形成装置の設置スペースに収めることができる。これにより、コンビニやスーパー等の狭い店舗においても、画像形成装置を従来から設置している場所にほぼそのまま設置することができる。この場合、表示画面が外側を向くようにして画像形成装置に取り付けると、画像形成装置を従来通り店舗内に設置するだけで、表示装置の表示画面が、道路側（すなわち、歩道側）の壁面ガラスを介して店舗外の歩行者側に向くので、この表示装置の表示画面に広告情報を表示することで、店舗外の歩行者にインパクトのある宣伝広告を行うことができる。
【００２７】
また、本発明によれば、第１表示画面と第２表示画面の切り換わりに時間差を設けることにより、第１表示画面を見た人が、その情報に関する印字等を行いたいために第２表示画面の前までくると、その間に第１表示画面の表示が切り換わっていたとしても、第２表示画面にはまだ同じ画面が表示されているので、操作者はその第２表示画面の表示から所望の操作を行うことができる。
【発明を実施するための最良の形態】
【００２８】
以下、本発明の実施の形態について、図面を参照して説明する。
【００２９】
図１（ａ）〜（ｃ）は、本発明の表示一体型画像形成装置の一実施形態の外観斜視図である。
【００３０】
この画像形成装置Ａ１は、正面側から見た形状がコの字型に形成された胴内排紙構造の画像形成装置であり、胴内排紙口部５１の上部側に原稿押さえ蓋５２、原稿読取部５３及びスキャナー部５４が配置され、胴内排紙口部５１の下部側に画像形成部５５及び給紙部５６が配置されている。また、原稿読取部５３の正面側には、キーボード式及びタッチパネル式の操作部５８とが設けられている。
【００３１】
すなわち、この画像形成装置Ａ１は、長方形状に形成された背面側の筐体１１ａと右側面側の筐体１１ｂ、及び胴内排紙口部５１部分がコの字型に切り欠かれた略長方形状の正面側の筐体１１ｃと左側面側の筐体１１ｄとで囲まれているとともに、これら筐体上部が原稿押さえ蓋５２及び原稿読取部５３を含むスキャナー部５４によって覆われた構造となっている。また、図示は省略しているが、筐体下部の四隅にはそれぞれキャスターが設けられており、画像形成装置を自由に押して移動できるようになっている。
【００３２】
この画像形成装置Ａ１は、原稿読取部５３に原稿を置く場合、胴内排紙口部５１の排紙トレイ５７から記録用紙を取り出す場合、給紙部５６に記録用紙を補給する場合は、画像形成装置の正面側から行うことが可能なフロントアクセスタイプとなっている。また、正面側筐体１１ｃの胴内排紙口部５１のすぐ下に前扉１２が設けられ、右側面側筐体１１ｂにも上下２箇所に横扉１３，１４が設けられており、前扉１２の下に給紙部５６の各給紙用カセット５６ａ，５６ｂが前側に引き出し可能に配置されている。そして、前扉１２を開けることにより、トナーの補給、感光体の交換、定着器や帯電器の修理や交換などのメンテナンスを行うことが可能となっている。また、詰まった記録用紙を用紙搬送路から除去する場合には、横扉１３，１４も必要に応じて開くようになっている。ただし、排紙トレイ５７を胴内排紙口部５１に配置する以外、その上部と下部に配置される各構成部は一例であり、この配置構成に限定されるものではない。
【００３３】
上記構成において、本実施形態では、画像形成装置Ａ１の操作側から見て裏面側の筐体（すなわち、操作部５８が設けられた原稿読取部５３の正面側から見て裏面側の筐体）である背面側筐体１１ａに、第１表示画面２２を外側に向けて大型の表示装置（ディスプレイ）２１が、画面長手方向を上下に向けて配置した状態で一体的に取り付けられている。すなわち、本実施形態では、画像形成装置Ａ１を大型ディスプレイ２１の脚部として利用している。これにより、画像形成装置Ａ１と大型ディスプレイ２１という２台の大型機器の設置スペースを、実質的に画像形成装置Ａ１の設置スペースに収めることが可能となる。また、画像形成装置Ａ１と大型ディスプレイ２１との接続コードも外部に露出することがないので、見かけ上もスッキリするとともに、接続コードを引っかけてしまうといった問題も発生しない。ただし、厳密には、大型ディスプレイ２１の厚み分のスペースが必要である。これにより、コンビニやスーパー等の狭い店舗においても、画像形成装置を従来から設置している場所に、本発明の表示一体型画像形成装置をほぼそのまま設置することが可能となるものである。
【００３４】
また、大型ディスプレイ２１は、その上部が背面側筐体１１ａより上方に突出するように配置されており、その突出部分の第１表示画面２２とは反対側の面に第２表示画面２３が配置されている。また、第２表示画面２３の上にタッチパネル２３ａを配置することで、第２表示画面２３を操作部５８とは別の第２操作手段として利用できるようにしてもよい。また、上記実施形態では、大型ディスプレイ２１の第１表示画面２２と第２表示画面２３とを一体としているが、それぞれ別体としてもよい。
【００３５】
図２は、上記構成の表示一体型画像形成装置をコンビニに設置した状態の一例を示しており、（ａ）は斜視図、（ｂ）は平面図である。
【００３６】
すなわち、近時のコンビニは、道路側（歩道側）に面した店舗部分が全面ガラス張りの透明のガラス窓となっており、歩道を歩いている人に店内の様子が一目で分かるように商品が陳列されている。具体的には、入り口５００を介して広いスペース側のガラス窓５０１沿いに本棚５１０が配置され、狭いスペース側のガラス窓５０２沿いに画像形成装置Ａ１が設置されており、その画像形成装置Ａ１の店内奥側にレジカウンタ５０３が配置され、本棚５１０の店内奥側に各種商品棚５１１が配置されている、といった配置パターンが一般的である。この場合、画像形成装置Ａ１は、背面側に取り付けられた大型ディスプレイ２１の第１表示画面２２が外側（すなわち、店舗外の歩道側）を向くように配置する。これにより、大型ディスプレイ２１の第１表示画面２２が、道路側（すなわち、歩道側）のガラス窓５０２を介して店舗外の歩行者側に向くことになる。従って、この大型ディスプレイ２１の第１表示画面２２に広告情報を表示することで、店舗外の歩行者にインパクトのある宣伝広告を行うことが可能となる。この場合、第２表示画面２３には、歩道側に向かって設置されている第１表示画面２２に表示されている広告情報と同じ情報を表示してもよいし、あるいは、第１表示画面２２に表示されている広告情報に関連する情報（詳細情報等）を表示するようにしてもよい。これにより、第１表示画面２２の広告内容に興味を持った歩行者が店内に入ってきて画像形成装置Ａ１の前にくると、第２表示画面２３にその詳細情報が表示されているので、第２表示画面２３のタッチパネル２３ａ若しくは画像形成装置Ａ１の操作部５８を操作することで、所望する情報の印刷等を行うことが可能となる。例えば、第１表示画面２２にクーポンの発券を行う情報が表示されており、これを見た客が店内に入って第２表示画面２３の詳細情報に表示されているクーポンの発券ボタンを操作（タッチ）すると、画像形成装置Ａ１がクーポン券を印刷して出力する、といったことが可能となる。
【００３７】
また、上記実施形態では、大型ディスプレイ２１を画像形成装置Ａ１の背面側に取り付けている場合について説明しているが、原稿の読み込みや排紙トレイからの用紙の取り出し、給紙カセットへの記録用紙の補給やメンテナンス等による各扉の開閉等に支障がなければ、例えば図３に示すように、画像形成装置Ａ１の操作側から見て（すなわち、操作部５８が設けられた原稿読取部５３の正面側から見て）一方の側面側筐体１１ｄに大型ディスプレイ２１を取り付けてもよい。
【００３８】
図４は、図３に示す画像形成装置Ａ１をコンビニに設置した状態の一例を示している。この例では、入り口５００を介して狭いスペース側のガラス窓５０４沿いに、側面側に取り付けられた大型ディスプレイ２１の第１表示画面２２が外側（すなわち、店舗外の歩道側）を向くように、画像形成装置Ａ１をガラス窓５０４に対して横向きに設置している。すなわち、画像形成装置Ａ１の背面側を壁側５０５に向けて設置している。これは、ガラス窓５０４とレジカウンタ５０６との間に画像形成装置Ａ１の利用者の操作スペースが十分に確保できない場合に有効な設置形態であり、画像形成装置Ａ１の側面に大型ディスプレイ２１を取り付けることで、このような設置形態が可能となる。
【００３９】
また、上記実施形態では、大型ディスプレイ２１を画像形成装置Ａ１の背面側筐体１１ａまたは側面側筐体１１ｄに取り付けている場合について説明しているが、例えば図５に示すように、画像形成装置Ａ１の背面側筐体１１ａ及び側面側筐体１１ｄに大型ディスプレイ２１を取り付けてもよい。なお、図５（ａ）は背面側筐体１１ａに取り付けられた大型ディスプレイ２１ａに第２表示画面２３があり、側面筐体１１ｄに取り付けられた大型ディスプレイ２１ｂに第２表示画面が無い場合、同図（ｂ）は背面側筐体１１ａに取り付けられた大型ディスプレイ２１ａに第２表示画面２３が無く、側面筐体１１ｄに取り付けられた大型ディスプレイ２１ｂに第２表示画面がある場合を例示している。さらに、第２表示画面２３は大型ディスプレイ２１ａまたは２１ｂのいずれかに設けたが、両方に設けてもよい。
【００４０】
また、上記実施例では大型ディスプレイ２１の表示画面の反対側の面に第２表示画面を配置しているが、例えば図６に示すように、画像形成装置Ａ１の側面筐体に大型ディスプレイ２１を配置し、第２表示画面２３を有する小型ディスプレイ２１ｃを画像形成装置Ａ１の背面から上方に突出するように配置してもよい。
【００４１】
＜本実施形態の表示一体型画像形成装置のシステム構成の説明＞
本実施形態では、上記構成の表示一体型画像形成装置をデジタル複合機に適用した場合について説明する。図７は、そのようなデジタル複合機の電気的構成の概略、及びこのデジタル複合機と表示情報を管理している外部のサーバ装置８５との接続関係を示している。
【００４２】
まず、このデジタル複合機（画像形成装置）Ａ１の電気的構成について説明する。
【００４３】
図７に示すように、デジタル複合機Ａ１は、スキャナー部５４、操作部５８、画像形成部５５、機器制御部５９、ＦＡＸモデム６０、通信部６１、管理部６２、及びハードディスク（ＨＤ）６３を備えている。すなわち、本実施形態のデジタル複写機Ａ１は、ＦＡＸとネットワークプリンタの複合機となっている。
【００４４】
スキャナー部５４は、ＣＣＤ５４ａや原稿検知センサ５４ｂなどを備えている。
【００４５】
操作部５８は、タッチパネルやメカキーである各種機能ボタン等からなる入力部５８ａと、液晶等の表示パネルからなる表示部５８ｂとを備えている。図９は、操作部５８の構成を示している。表示部５８ｂは、表示パネル１０１の上面に透明なタッチパネル１０４が配置された構造となっており、この表示部５８ｂの横（図では右横）に各種機能ボタン１０２とテンキー１０３とが配置されている。さらに、テンキー１０３の右横に、スタートボタンや全解除（ＣＡ）ボタンやクリア（Ｃ）ボタンが配置された構成となっている。
【００４６】
画像形成部５５は、印字データを展開する作業用のメモリ５５ｂを有する画像処理部５５ａ、外部からきたデータを機器内で保護するためにデータを暗号化してハードディスク６３に一時的に退避（保存）させるとともに、ハードディスク６３に退避させているデータを復号化して画像処理部５５ａに渡す暗号化／復号化部５５ｃ、レーザスキャニングユニット（ＬＳＵ）を有する印字部５５ｄなどを備えている。ここで、印字部５５ｄは電子写真方式に限定されず、インクジェット方式や熱転写方式等様々な形態に適用可能である。
【００４７】
機器制御部５９は、機器全体の動作制御を管理する部分であり、ＣＰＵ、ＲＯＭ、ＲＡＭ等で構成されており、表示制御としては、表示部５８ｂの表示制御の他、大型ディスプレイ２１の第１表示画面２２及び第２表示画面２３の表示制御も行うようになっている。
【００４８】
管理部６２は、機器の動作に必要な情報を管理する部分であり、例えば送受信で言えば、メールアドレスの管理やＦＡＸの電話番号の管理などを行う。また、ハードディスク６３に一時的に退避したデータの位置情報（アドレス情報）の管理や、プリンタモードで動作している場合に、当該プリンタへ出力するデータの位置情報の管理など、機器の動作に必要な情報を一括管理している。
【００４９】
通信部６１は、外部ネットワーク７４との間で双方向通信を行う通信部であり、本実施形態では、受信したデータを機器が扱えるデータに展開するためのメモリを備えたプリンタボードとなっている。従って、通信部６１では、受信したデータをこのメモリ上で展開しながら、作業用のメモリ５５ｂに順次転送する。
【００５０】
上記構成のデジタル複合機Ａ１において、ＦＡＸモデム６０には、電話回線網７２を介してファクシミリ装置８１が接続可能となっている。また、通信部６１には、ＬＡＮ７３を介して端末装置（パソコン）８２やＰＯＳ端末８３などが接続可能となっているとともに、無線接続によって携帯端末８４とも接続可能となっている。また、通信部６１には、外部ネットワーク７４介して外部のサーバ装置８５や、外部の支店（Ｂ店、Ｃ店）等とも接続可能となっている。外部ネットワーク７４には、サーバ装置８５へ広告等の表示を依頼するためにクライアント１、クライアント２も接続されている。本実施形態のデジタル複合機Ａ１は、このようなネットワーク環境の中に配置されている。
【００５１】
上記構成において、例えば端末装置８２からＬＡＮ７３を介してデジタル複合機Ａ１へ送信されたデータ（動画、静止画、テキスト等）は、通信部６１、機器制御部５９、及び画像形成部５５の画像処理部５５ａを介してハードディスク６３に記憶され、管理部６２に記憶されている管理情報に基づいて、記憶されたデータを大型ディスプレイ２１の第１表示画面２２及び第２表示画面２３に表示させるようになっている。
【００５２】
大型ディスプレイ２１の第１表示画面２２及び第２表示画面２３に表示する各種情報、表示順序、表示時間等はサーバ装置８５で基本的に管理されている。ただし、管理部６２が、ハードディスク６３に記憶した各種表示データを第１表示画面２２及び第２表示画面２３に表示する順序、時間等を管理するように構成してもよい。これにより、サーバ装置８５との接続状態が悪いときや、店舗独自の情報を第１表示画面２２及び第２表示画面２３に表示させることができる。
【００５３】
上記実施形態では、大型ディスプレイ２１をＡ店に１台としているが、複数台設置し、これら複数台の大型ディスプレイ２１を外部のサーバ装置８５で表示管理を行うようにしてもよい。
【００５４】
図８は、サーバ装置８５の電気的構成の概略を示している。
【００５５】
図８に示すように、サーバ装置８５は、機器制御部８５０１、ディスプレイ８５０２、キーボード８５０３、コンテンツ受付部８５０４、ＰＯＳデータ管理部８５０５、各店情報管理部８５０６、画像形成装置管理部８５０７、天候データ管理部８５０８、コンテンツ管理部８５０９、表示管理部８５１０、スケジュール管理部８５１１、通信部８５１２を備えている。
【００５６】
機器制御部８５０１は、サーバ全体の動作制御を管理する部分であり、図示は省略しているがＣＰＵ、ＲＯＭ、ＲＡＭ等で構成されている。ディスプレイ８５０２は、サーバ装置８５が管理している各店の表示装置、画像形成装置の状態等を表示している。
【００５７】
キーボード８５０３は、サーバ装置８５から各店の表示装置へ制御指令等を入力するものである。コンテンツ受付部８５０４は、外部ネットワーク７４を介してクライアント１、クライアント２等から依頼された広告、クーポン券情報等の表示情報、各店からの表示依頼情報、または、サーバ装置８５に直接入力された情報等を受け付ける。
【００５８】
ＰＯＳデータ管理部８５０５は、各店のＰＯＳ端末８３からの情報の受け付けと管理を行っている。各店情報管理部８５０６は、各店の端末装置８２から入力される地域イベント等の地域情報を記憶、管理している。
【００５９】
画像形成装置管理部８５０７は、画像形成装置のカウンタ情報、動作情況を記憶、管理している。天候データ管理部８５０８は、外部ネットワーク７４を介して、図示しない天候情報を管理している団体（例えば気象庁等）からの情報を取得、管理している。
【００６０】
コンテンツ管理部８５０９は、コンテンツ受付部８５０４で受け付けた情報を記憶している。表示管理部８５１０は、各店の表示装置の表示画面の分割表示、重ね合わせ表示等を管理している。
【００６１】
スケジュール管理部８５１１は、コンテンツ管理部８５０９に記憶されている情報の表示順序、表示時間等を、大型ディスプレイ２１が設置されている店毎に記憶、管理している。また、スケジュール管理部８５１１は、ＰＯＳデータ管理部８５０５に記憶されている各店舗毎の商品の販売状況や購入商品の客層等の情報に基づく広告表示内容、時間帯による広告内容の入れ換え、天候データ管理部８５０８に記憶されている各地域の天気、気温等の情報に基づく広告表示内容の入れ換え、各店舗情報管理部８５０６に記憶されている地域イベント等の情報に基づく広告表示内容の入れ換え等も管理している。さらに、スケジュール管理部８５１１では、表示する広告等の表示データが動画であるか静止画であるかも管理し、動画データは各店のデジタル複合機Ａ１のＨＤ６３へデータを転送記憶させた後、スケジュール管理部８５１１の表示スケジュールに従ったタイミングで各店のデジタル複合機Ａ１のＨＤ６３から呼び出して表示させている。これにより、サーバ装置８５からのデータ転送に影響されずスムーズな画像表示が出来るようにしている。一方、静止画データについては、サーバ装置８５のコンテンツ管理部８５０９から各店の表示装置へ直接転送、表示させている。
【００６２】
通信部８５１２は、外部ネットワーク７４との間で双方向通信を行う通信部であり、スケジュール管理部８５１１に記憶されている情報に基づいて、コンテンツ管理部８５０９で記憶されている情報を各店の大型ディスプレイ２１へ配信している。または、サーバ装置８５へ送信されてくる情報を機器制御部８５０１のＲＡＭへ一旦記憶し、機器制御部８５０１から送信された情報の内容に従った場所へ転送される。
【００６３】
図１０は、第１表示画面２２及び第２表示画面２３の表示の遷移状態の一例を示したものであり、横軸を時間軸としている。
【００６４】
本実施形態では、第１表示画面２２及び第２表示画面２３の両方に、関連する各種情報を表示するとともに、各表示画面を時間経過と共に順次切り換えて表示する構成としている。具体的に説明すると、第１表示画面２２及び第２表示画面２３は共に、所定時間Ｔ０の間隔で例えば４種類の広告１〜広告４の表示画面を順次切り換えて表示する構成としている。ただし、４種類に限定されるものではない。以下、この図１０に示す表示遷移の例を参照して本実施形態の画像表示方法を説明する。
【００６５】
本実施形態では、時刻ｔ１において第１表示画面２２が広告１を表示し、第２表示画面２３が広告４を表示しているものとする。
【００６６】
この状態から時刻ｔ２になると、第１表示画面２２は広告１を引き続き表示する一方、第２表示画面２３については、時刻ｔ１以前の図示を省略しているが、広告４を表示してから所定時間Ｔ０が経過したため、その表示が広告４から広告１に切り換わる。そして、次の時刻ｔ３になると（時刻ｔ１から所定時間Ｔ０が経過すると）、今度は第１表示画面２２の表示が広告１から広告２に切り換わるが、第２表示画面２３は、時刻ｔ２からの経過時間Ｔ１がＴ０以下であるため、広告１を引き続き表示している。そして、次の時刻ｔ４になると（時刻ｔ２から所定時間Ｔ０が経過すると）、第２表示画面２３の表示が広告１から広告２に切り換わるが、第１表示画面２２は、時刻ｔ３からの経過時間Ｔ２がＴ０以下であるため、広告２を引き続き表示している。
【００６７】
このように、本実施形態では、第１表示画面２２と第２表示画面２３の表示の切り換わりタイミングに時間差Ｔ２を設けている。ここで、この時間差Ｔ２は、操作部５８または第２表示画面２３のタッチパネル２３ａから自由に設定可能に設けておけばよい。第１表示画面２２を見てから第２表示画面２３の前まで来て所望の操作を行うまでの時間は、設置する店舗の設置条件等によっても異なるため、表示の切り換わりの時間差Ｔ２を自由に設定できるようにしておけば、時間差Ｔ２を、第１表示画面２２を見てから第２表示画面２３の前まで来て所望の操作を行うまでの最適な時間に設定することができる。
【００６８】
図１１は、図１０の表示遷移を行っているときに操作者が所望の広告の情報を選択した場合の表示遷移の一例を示している。
【００６９】
すなわち、図１１に示すように、第２表示画面２３での広告２の表示時間である時刻ｔ４からｔ６までの間の例えば時刻ｔ５′に操作者が第２表示画面２３のタッチパネル２３ａまたは操作部５８から、表示されている広告２の選択操作を行うと、第１表示画面２２は操作者の選択に関係なく広告１、広告２、広告３、広告４の表示遷移をそのまま継続して繰り返す一方、第２表示画面２３については、広告２を表示しているときに操作者が選択操作を行ったので、その広告２に関連する情報の表示状態となり、その後は、所定時間Ｔ０経過による表示遷移は行わず、そのまま広告２に関連する情報を表示し続ける。
【００７０】
そして、操作者が、選択した情報を画像形成装置Ａ１によって印字したり、携帯端末８４へ送信する等して、時刻ｔ１０′にその作業を終了すると、第２表示画面２３は所定時間Ｔ０経過による遷移表示に復帰する。すなわち、図１１では時刻ｔ１０とｔ１１との間の時刻ｔ１０′で印字等の処理が終了したので、遷移表示を継続した場合にその終了時（時刻ｔ１０′）に第２表示画面２３に表示されているであろう広告１の表示から、所定時間Ｔ０経過による遷移表示に復帰する。この場合、広告１の表示は、時刻ｔ１０′からの所定時間Ｔ０ではなく、遷移表示を継続していた場合に表示されていたであろう時刻ｔ１０から時刻ｔ１２までの所定時間Ｔ０の表示となる。これにより、第１表示画面２２と第２表示画面２３とは、再び同じ時間差ｔ２で表示の切り換えが行われることになる。
【００７１】
図１２は、大型ディスプレイ２１の第１表示画面２２に表示されるコンビニや食品スーパーなどを対象とした広告データの表示例であり、符号２０１，２０２は例えば食材やメニュー、新商品などを中心とした商品紹介型の広告データの表示例、符号２０３，２０４は例えば催事やイベントなどを紹介するイベント紹介型の広告データの表示例である。このような広告を、歩道側のガラス窓に接近させて配置した大型ディスプレイ２１に表示することで、歩行者に対してインパクトのある宣伝広告を行うことができる。
【００７２】
ここで、大型ディスプレイ２１の第１表示画面２２に、例えば図１２の符号２０１，２０２、２０３、２０４で示す広告データが所定時間Ｔ０経過するたびに順次遷移表示されており、この広告データを見た歩行者が、その広告に関連するデータを取得するために店内に入り、デジタル複合機Ａ１の前に来ると、大型ディスプレイ２１の第２表示画面２３には、図１３に示す画像が所定時間Ｔ０経過するたびに順次、遷移表示されている。この場合、上記したように、第１表示画面２２を見た歩行者が第２表示画面２３の前に来るまでの時間的余裕を考慮して、第２表示画面２３の表示の切り換えは、第１表示画面２２の表示の切り換えに対して時間差Ｔ２が設けられている。従って、第２表示画面２３の前に来た歩行者（客）は、第１表示画面２２で見た同じ画像が第２表示画面２３にまだ表示されているので、この第２表示画面２３をタッチするか、所望の番号を操作部５８の入力部５８ａから入力することによって（ここでは「２」が選択されたとする）、その関連情報として、図１４の符号３０１で示す食材情報のトップページが表示される。このとき、第１表示画面２２の表示は所定時間Ｔ０経過するたびに表示が切り換わる状態を継続しているので、店舗外の歩行者に対しては、広告１〜広告４が繰り返し表示され、広告宣伝機能が継続されている。
【００７３】
一方、食材情報のトップページを表示している第２表示画面２３には、操作入力用のタッチパネル２３ａが設けられているので、この画面を見た客（操作者）が、例えば「お買い得商品」３０１ａをタッチすると、符号３０２で示すお買い得情報が第２表示画面２３に表示される。ここで、操作者がこのお買い得情報の画面の「本日のクーポン」３０２ａにタッチすると、図示は省略しているが、印刷の有無を確認する画面が表示されるので、引き続いてその画面の「印刷」にタッチすると、機器制御部５９は、これを受けてハードディスク６３またはサーバ装置８５のコンテンツ管理部８５０９に保存されている本日のお買い得商品のデータとクーポン券のデータとを読み出し、画像処理部５５ａ及び印字部５５ｄを介してこれらのデータを印字出力する。すなわち、クーポン券を発行する。また、クーポン券等は、無用に大量発行されることを防止するために、携帯電話などの携帯端末８４に送信する方法も可能である。
【００７４】
また、図１４に示す食材情報のトップページの画面３０１を見た操作者が、例えば「おすすめ商品」３０１ｂをタッチすると、符号３０３で示すおすすめ商品情報が第２表示画面２３に表示される。ここで、操作者がこのおすすめ商品情報画面３０３の「印刷」３０３ａにタッチすると、機器制御部５９は、これを受けてハードディスク６３またはサーバ装置８５のコンテンツ管理部８５０９に保存されているおすすめ商品の説明データとこれを使ったレシピデータとを読み出し、画像処理部５５ａ及び印字部５５ｄを介してこれらのデータを印字出力する。
【００７５】
また、図１４に示す食材情報のトップページの画面３０１を見た操作者が、例えば「イベント情報」３０１ｃをタッチすると、符号３０４で示すイベント情報が第２表示画面２３に表示される。ここで、操作者がこのイベント情報画面３０４の「印刷」３０４ａにタッチすると、機器制御部５９は、これを受けてハードディスク６３またはサーバ装置８５のコンテンツ管理部８５０９に保存されているタイムセールや今月のイベント情報の説明データとそれらに参加するチケットのデータとを読み出し、画像処理部５５ａ及び印字部５５ｄを介してこれらのデータを印字出力する。すなわち、チケットを発行する。
【００７６】
また、図１４に示す食材情報のトップページの画面３０１を見た操作者が、例えば「本日のクーポン券」３０１ｄをタッチすると、図示は省略しているが、発行可能なクーポン券の一覧が表示されるので、操作者はその中から所望のクーポン券にタッチし、続けて図示しない「印刷」にタッチすると、機器制御部５９は、これを受けてハードディスク６３またはサーバ装置８５のコンテンツ管理部８５０９に保存されている該当クーポンのデータを読み出し、画像処理部５５ａ及び印字部５５ｄを介してこのデータを印字出力する。すなわち、クーポン券を発行する。また、上記実施例では記載していないが、デジタル複合機Ａ１の操作部５８の表示パネル１０１に図１５のようなサムネイル画像を表示してもよい。
【００７７】
なお、大型ディスプレイ２１に表示された各種データをデジタル複合機Ａ１から印字出力する場合の記録用紙については、課金してコピーサービスを提供するときの記録用紙と異なる用紙を使用するようにしてもよい。すなわち、大型ディスプレイ２１に表示されたデータの印字出力は、店の顧客を確保するためのサービスとして提供するものであるため、消費者には無料サービスとして手軽に利用してもらう必要がある。すなわち、無料で提供することが前提である。そこで、大型ディスプレイ２１に表示されたデータの印字出力時には、裏に広告刷りが施された記録用紙を使用することで、印刷の課金を広告主に負担させ、これによって消費者には無料サービスで手軽に印刷してもらうことができる。
【図面の簡単な説明】
【００７８】
【図１】本発明の表示一体型画像形成装置の一実施形態の外観斜視図である。
【図２】本発明の表示一体型画像形成装置をコンビニに設置した状態の一例を示しており、（ａ）は斜視図、（ｂ）は平面図である。
【図３】本発明の表示一体型画像形成装置の他の実施形態を示しており、画像形成装置の一方の側面側筐体に大型ディスプレイを取り付けた状態を示す斜視図である。
【図４】側面側筐体に大型ディスプレイを取り付けた表示一体型画像形成装置をコンビニに設置した状態の一例を示す平面図である。
【図５】本発明の表示一体型画像形成装置のさらに他の実施形態を示しており、画像形成装置の背面側筐体及び側面側筐体に大型ディスプレイを取り付けた状態を示す斜視図である。
【図６】本発明の表示一体型画像形成装置のさらに他の実施形態を示しており、画像形成装置の側面筐体に大型ディスプレイを配置し第２表示画面を画像形成装置の背面から突出するように配置した状態を示す斜視図である。
【図７】本発明の表示一体型画像形成装置をデジタル複合機に適用した場合の電気的構成を示すブロック図である。
【図８】サーバ装置の電気的構成を示すブロック図である。
【図９】操作部の構成を示す説明図である。
【図１０】サーバ装置の管理による第１表示画面及び第２表示画面の表示の遷移状態の一例を示す説明図である。
【図１１】図１０の表示遷移を行っているときに操作者が所望の広告の情報を選択した場合の表示遷移の一例を示す説明図である。
【図１２】大型ディスプレイの第１表示画面に表示されるコンビニや食品スーパーなどを対象とした広告データの遷移表示例を示す説明図である。
【図１３】大型ディスプレイの第２表示画面に表示される広告１〜広告４の遷移表示例を示す説明図である。
【図１４】大型ディスプレイの第２表示画面に表示される食材のトップページからの操作例を示す説明図である。
【図１５】表示パネルに表示されるサムネイル画像の表示例を示す説明図である。
【図１６】コンビニの一般的な配置構成を示す説明図である。
【符号の説明】
【００７９】
Ａ１  画像形成装置（デジタル複合機）
１１ａ  背面側筐体
１１ｂ  右側面側筐体
１１ｃ  正面側筐体
１１ｄ  左側面側筐体
１２  前扉
１３，１４  横扉
２１  表示装置（大型ディスプレイ）
２１ａ  背面側筐体
２２  表示画面（第１表示画面）
２３  第２表示画面
５１  胴内排紙口部
５２  原稿押さえ蓋
５３  原稿読取部
５４  スキャナー部
５４ａ  ＣＣＤ
５４ｂ  原稿検知センサ
５５  画像形成部
５５ａ  画像処理部
５５ｂ  メモリ
５５ｃ  暗号化／復号化部
５５ｄ  印字部
５６  給紙部
５７  排紙トレイ
５８  操作部
５８ａ  入力部
５８ｂ  表示部
５９  表示部
６０  ＦＡＸモデル
６１  通信部
６２  管理部
６３  ハードディスク（ＨＤ）
６４ａ，６４ｂ，６４ｃ  リミットスイッチ
７２  電話回線網
７３  ＬＡＮ
７４  外部ネットワーク
８１  ファクシミリ装置
８２  端末装置（パソコン）
８３  ＰＯＳ端末
８４  携帯端末
８５  サーバ装置
１０１  表示パネル
１０２  各種機能ボタン
１０３  テンキー
８５０１  機器制御部
８５０２  ディスプレイ
８５０３  キーボード
８５０４  コンテンツ受付部
８５０５  ＰＯＳデータ管理部
８５０６  各店情報管理部
８５０７  画像形成装置管理部
８５０８  天候データ管理部
８５０９  コンテンツ管理部
８５１０  表示管理部
８５１１  スケジュール管理部
８５１２  通信部
【図１】
2010004134.tif 000003
【図２】
2010004134.tif 000004
【図３】
2010004134.tif 000005
【図４】
2010004134.tif 000006
【図５】
2010004134.tif 000007
【図６】
2010004134.tif 000008
【図７】
2010004134.tif 000009
【図８】
2010004134.tif 000010
【図９】
2010004134.tif 000011
【図１０】
2010004134.tif 000012
【図１２】
2010004134.tif 000013
【図１３】
2010004134.tif 000014
【図１４】
2010004134.tif 000015
【図１５】
2010004134.tif 000016
【図１６】
2010004134.tif 000017
【図１１】
2010004134.tif 000018